(57)【特許請求の範囲】
【請求項１】
表示部を備えた上部ユニットと、キー入力部を備えた下部ユニットと、が各ユニットの一端側に設けられたヒンジ部を介して開閉可能な電子機器であって、
前記上部ユニットと下部ユニットとを前記ヒンジ部を介して閉じた状態において、当該ヒンジ部の後方において前記上部ユニットと下部ユニットとを外側から挟み込むロック位置と、その外側からの挟み込みを解除するロック解除位置と、でスライド可能に設けられたロック操作部材、を具備し、
前記上部ユニットのヒンジ部側には、前記ロック操作部材がロック解除位置にあるときに当該ロック操作部材を前記下部ユニットのヒンジ部側に残したままの状態で当該上部ユニットを開閉可能とするための切欠き部を形成し、
前記上部ユニットと下部ユニットとを閉じた状態において、前記ロック操作部材をロック位置にスライドさせた際は当該ロック操作部材で前記上部ユニットと下部ユニットとを外側から挟みこんでその開閉をロックし、前記ロック操作部材をロック解除位置にスライドさせた際は、前記下部ユニットのヒンジ部側に残った前記ロック操作部材が、前記上部ユニットのヒンジ部側に形成された前記切欠き部を通ることにより、前記上部ユニットが前記下部ケースに対して開閉可能となるようにした、ことを特徴とする開閉式電子機器。
【請求項２】
前記ロック操作部材は略コ字状の枠体で構成され、前記上部ユニットの切欠き部は当該ロック操作部材とほぼ同一形状で切り欠かかれていることを特徴とする請求項１記載の開閉式電子機器。
【発明の詳細な説明】
【０００１】
【発明の属する技術分野】
本発明は、上部ユニットと下部ユニットとを開閉可能な開閉式電子機器に関する。
【０００２】
【従来の技術】
パソコン、ワープロ、携帯情報機器、その他の電子機器においては、例えば上部ケース又は上部ユニットと下部ケース又は下部ユニットとはヒンジ機構で連結され、重畳的に開閉しまたは折り畳みする構造のものが知られている。
【０００３】
そして、当該電子機器を使用する場合、例えば瓜状のロックピンをアンロック操作し、上部ケースを下部ケースから開放した状態にする。また、当該電子機器を使用しない場合、上記上部ケースを下部ケースに重畳するように閉止する。そして、上記瓜状のロックピンをロック操作している。このように、当該電子機器を使用しない時や携帯する時は折り畳んだ状態にして置き、嵩張らないように取扱うものである。
【０００４】
また、従来の技術においては、当該電子機器の携帯時に不用意に上ケースと下ケースが開放しない機構を備えている。例えばヒンジ機構の回転ピンと上下ケースとの間に摩擦力を保持すべく係合した構成である。
【０００５】
【発明が解決しようとする課題】
従来の技術において、瓜状のロックピンを備え、上部ケースと下部ケースを閉止した後、不用意に両者が開放しない構成によれば、長年月の使用により当該瓜状のロックピンが劣化を惹起し、破損する場合があり、電子機器ケースの閉止機能を損なうこともあった。また、ヒンジ機構の回転ピンと上、下ケースとの間に摩擦力を保持する構成では微かな力が上、下ケースに加わっただけで容易に開放する欠点もあった。更にロック機構を複雑にすると装置が大型化となりデザイン的にも好ましくないこととなった。
【０００６】
本発明は、上記課題を解決すべく、発明したもので、簡単な構造でかつ確実な手段で上下ケースを簡単にロック又はアンロックする機構を提供し、薄形の電子機器にも採用でき、デザイン性も向上させた開閉式電子機器を提供することを目的としたものである。
【０００７】
【課題を解決するための手段】
請求項１記載の発明によれば、表示部を備えた上部ユニットと、キー入力部を備えた下部ユニットと、が各ユニットの一端側に設けられたヒンジ部を介して開閉可能な電子機器であって、前記上部ユニットと下部ユニットとを前記ヒンジ部を介して閉じた状態において、当該ヒンジ部の後方において前記上部ユニットと下部ユニットとを外側から挟み込むロック位置と、その外側からの挟み込みを解除するロック解除位置と、でスライド可能に設けられたロック操作部材、を具備し、前記上部ユニットのヒンジ部側には、前記ロック操作部材がロック解除位置にあるときに当該ロック操作部材を前記下部ユニットのヒンジ部側に残したままの状態で当該上部ユニットを開閉可能とするための切欠き部を形成し、前記上部ユニットと下部ユニットとを閉じた状態において、前記ロック操作部材をロック位置にスライドさせた際は当該ロック操作部材で前記上部ユニットと下部ユニットとを外側から挟みこんでその開閉をロックし、前記ロック操作部材をロック解除位置にスライドさせた際は、前記下部ユニットのヒンジ部側に残った前記ロック操作部材が、前記上部ユニットのヒンジ部側に形成された前記切欠き部を通ることにより、前記上部ユニットが前記下部ケースに対して開閉可能となるようにした、ことを特徴とする。
【０００８】
請求項２記載の発明によれば、前記ロック操作部材は略コ字状の枠体で構成され、前記上部ユニットの切欠き部は当該ロック操作部材とほぼ同一形状で切り欠かかれていることを特徴とする。
【００１２】
【発明の実施の形態】
以下、添付図面に基づき本発明に係る開閉式電子機器の一実施形態について説明する。図１は、本発明に係る電子機器、具体的には本発明を、閉じた時の大きさとしてＡ４タイプのノートパソコンに適用した斜視図である。
【００１３】
１は下部ユニットであり、下部ケース部材２、キーボード部３、手書き入力した文字を読み取る複数の光学的ホトセンサ４及び図示していないが下部ケース部材２内部に配置された電池や電子回路などの電子部品を搭載して構成されている。
【００１４】
５は上部ユニットであり、上記電子回路から供給される各種の情報を表示する表示ユニットとしての機能を有するものである。この上部ユニット５は、上部ケース部材６、液晶表示装置７等から構成される。
【００１５】
上部ユニット５の下辺中央部には、切欠き部１０が形成され、この切欠き部１０には、表面にロック操作部材８が配設されたヒンジ部９が下部ユニット１の一部として設けられている。
【００１６】
図２は前記上部ユニット５を前記下部ユニット１に対して１８０°開いた状態を示す正面図である。図中１１、１１はヒンジ部９において下部ユニット１と上部ユニット５とを回転可能にヒンジ結合させる為の、両者を連結する回転ピンであり、ヒンジ部９内部及び上部ユニット５内部にあって正面からは見えないので破線で示してある。
【００１７】
又、１２、１２はヒンジ部９の左右両端部の上面及び下面に夫々形成された溝部であり、ロック操作部材８によって正面からは見えないので同様に破線で示してある。
【００１８】
図３は、図２のＥ−Ｅ線の断面図を表し、図２のように上部ユニット５を下部ユニット１に対して１８０°開いた状態、及び図２の状態から更に上部ユニット５を下部ユニット１に対して閉じて重ねた状態、即ち重畳させた状態を示している。即ち、図３の一点鎖線で示した上部ユニット５が１８０°開いた時の位置であり、実線の上部ユニット５が閉じて重ねた位置を示している。
【００１９】
しかして、上部ユニット５の上部ケース部材６は、硬質合成樹脂からなり液晶表示装置７の収納凹部６ａが形成された板状の本体部材６ｂと、この板状の本体部材６ｂとほぼ同じ大きさで本体部材６ｂの表面に固着された板状の、例えば、アクリル板或いはアルミ板或いはマグネシューム合金板からなる補強部材６ｃとから構成される。
【００２０】
又、本体部材６ｂの前記収納凹部６ａに配置される液晶表示装置７は、相対向する内面に電極が形成された透明ガラス基板７ａ、７ａ間に液晶を封入した、いわゆる反射型の表示装置である。
【００２１】
一方、下部ユニット１の下部ケース部材２は、キーボードなどが配置される合成樹脂性の平板状の本体部材２ａと、この本体部材２ａと一体形成された合成樹脂性のヒンジ部９と、前記本体部材２ａの底面のほぼ全域に固着されたアルミ板或いはマグネシューム合金板からなる補強部材２ｂとからなる。
【００２２】
ヒンジ部９には、その上面及び下面に溝１２，１２が形成され、夫々の溝１２は内面の左右に段差１２ａ，１２ａが形成されている。又、上側の溝１２の横のピン孔には下部ユニット１と上部ユニット５とにヒンジ機能を持たせる為の回転ピン１１が配置されている。
【００２３】
ロック操作部材８は、金属からなる断面コの字状の枠体部８ａを有し、前記下部ユニット１の一辺部の略中央にヒンジ部９の３方を覆うようにスライド可能に配置される。また、枠体部８ａの上下内面で溝１２に対向する位置には鍔８ｃ，８ｃを有した係合ピン８ｂ，８ｂが固着されている。係合ピン８ｂ，８ｂの鍔８ｃ，８ｃは、上記溝１２の段差１２ａ，１２ａ部分に係入される形状となっている。尚、８ｄはコの字状の枠体部８ａの端部である。
【００２４】
図４は、下部ユニット１に上部ユニット５を重畳し、かつロック操作部材８の枠体８ａを押し込んで先端をアンロック位置Ｌ１からロック位置Ｌ２までスライド移動させた状態を示すものである。この状態においては、係合ピン８ｂ，８ｂの鍔８ｃ，８ｃが、上記溝１２の段差１２ａ，１２ａ部分に係入されると共に、コの字状の枠体部８ａの端部８ｄが閉じている上部ユニットの本体部材６ｂの上面（図４における上面）に当接する。
【００２５】
次に上述した本発明に係る開閉式電子機器の実施の形態について動作を説明する。
図５は、ノートパソコンが閉じられている状態、即ち重畳状態であり、且つ開閉ロック状態（開くことが出来ない状態）を示す。即ち、この時、ロック操作部材８は図４に示すようにヒンジ部９の上面、下面及び外面(図示右面)の３面に当接し、先端部８ｄがヒンジ部９より上部ユニット５側に延出され、上部ユニット５の本体部材６ｂの上面に当接した状態に有る。従って、上部ユニット５を下部ユニット１に対して開こうとしても先端部８ｄによって阻止され開くことが出来ないロック状態にある。
【００２６】
そして、ロック状態を解除し、上部ユニット５を下部ユニット１に対して開く場合には、まず、図６に示すようにロック操作部材８を矢印Ａ方向にスライド移動させる。これによりロック操作部材８の先端部８ｄは図５に示すようにヒンジ部９上面に移動し、上部ユニット５の本体部材６ｂとの当接状態が解除される。また、この際枠体８ａの上下内面に立設している係合ピン８ｂ，８ｂの鍔８ｃ，８ｃが溝１２，１２の段差１２ａ，１２ａから脱出し溝１２，１２内を摺動する。従って、上部ユニット５は回転ピン１１を中心に回転可能となり、図３の矢印Ｂ方向に開くことが出来る。
【００２７】
図７は、図２におけるＦ−Ｆ断面図、即ち機器中心部での開いた状態での断面図を示している。
使用後、上部ユニット５を下部ユニット１に重畳させ、開閉をロックさせる場合には、ロック操作部材８の枠体８ａを図６に示す矢印Ａ方向とは反対側にスライド操作し、図４及び図５の状態に戻す。
【００２８】
これにより、枠体８ａの上下内面に立設している係合ピン８ｂ，８ｂが基体部１ａ上面及び下面に形成した溝１２，１２内を摺動し係合ピン８ｂ，８ｂの鍔８ｃ，８ｃが溝１２，１２の段差１２ａ，１２ａに係入する。
【００２９】
そして、枠体８ａの縁端８ｄの位置がアンロック位置Ｌ１からロック位置Ｌ２まで移動する。即ち、枠体８ａの上端部８ｄが上部ユニット５の本体部材６ｂの縁部上面に図４に示すように当接する。而してロック操作部材８のロック操作が完了する。
【００３０】
本発明における上部ユニットと下部ユニットの夫々には、いずれの部品を配置するかについて制限されるものでなく、そして上部ユニットは単なる下部ユニットを覆う蓋体であってもよく、その大きさ、形状も下部ユニットの一部だけを覆う形状であってもよい。また、逆に下部ユニットが上部ユニットより小さいものであってもよい。
【００３１】
本発明の開閉式電子機器は携帯型の電子機器のみらず、据置型の電子機器にも適用できるものである。そして、パソコンだけでなく折り畳み可能な携帯型情報機器、折畳式の携帯電話などあらゆる電子機器に適用できるものである。
【００３２】
【発明の効果】
本願発明によれば、開閉式電子機器において、ロック、アンロックが容易迅速に行なう構成とすることができ、また、機器の小型化薄型化やデザイン機能の向上を図る構成とすることができる。
【図面の簡単な説明】
【図１】本発明に係る電子機器の一例を示す斜視図である。
【図２】本発明に係る電子機器において、上部ユニットを下部ユニットから１８０°開放した状態を示す正面図である。
【図３】本発明に係るロック操作部材であって、アンロック状態を示す図２の矢視Ｅ−Ｅ方向の拡大断面図である。
【図４】図４は図２に示す本発明に係るロック操作部材のロック状態を示す拡大断面図である。
【図５】本発明に係る電子機器において、上部ユニット及び下部ユニットを閉鎖した状態を示す斜視図である。
【図６】本発明に係る電子機器において、ロック操作部材をアンロック状態に動作後の斜視図である。
【図７】図２の矢視Ｆ−Ｆ方向の拡大断面図である。
【符号の説明】
１    下部ユニット
２    下部ケース部材
３    キーボード部
４    光学的ホトセンサ
５    上部ユニット
６    上部ケース部材
８    ロック操作部材
８ａ  枠体
８ｂ  係合ピン
８ｃ  鍔
【図１】
0003978944.tif 000002
【図２】
0003978944.tif 000003
【図３】
0003978944.tif 000004
【図４】
0003978944.tif 000005
【図５】
0003978944.tif 000006
【図６】
0003978944.tif 000007
【図７】
0003978944.tif 000008